(57)【要約】【課題】電熱線の熱を効率よく身体に伝えること、および電熱線の位置が規制部材により適切に規制されていない状態を生じにくくすることが可能なオットマン、および椅子型マッサージ機を提供する。【解決手段】オットマンには、足裏を支持する足支持部と、足支持部に載せられた足裏に熱を伝える電熱線７０とが設けられている。また、足支持部の本体に対する電熱線７０の移動を規制する糸８０が設けられている。電熱線７０の規制部分７０Ｘにおいて糸８０が電熱線７０をまたいで第１線側７０Ａから第２線側７０Ｂまでにわたり設けられている。幅方向においての糸８０の第１取付部８１と第２取付部８２との間隔を規制間隔Ｇとして、規制部分７０Ｘにおいての電熱線７０の幅が規制間隔Ｇよりも小さい。【選択図】図７
2012170610.tif 000002
【特許請求の範囲】
【請求項１】
足裏を支持する足支持部と、この足支持部の本体に配線された電熱線と、この電熱線を含めて前記本体を覆うカバーとを備えるオットマンにおいて、
前記足支持部の本体に対する前記電熱線の移動を規制する規制部材としての線部材が設けられていること、
前記電熱線に対して前記規制部材が取り付けられている部分を規制部分とし、前記電熱線の幅方向においての前記電熱線に対する一方の側を第１線側とし、前記電熱線の幅方向においての前記電熱線に対する他方の側を第２線側として、前記規制部分において前記規制部材が前記電熱線をまたいで前記第１線側から前記第２線側までにわたり設けられていること、
ならびに、前記規制部分の前記第１線側において前記足支持部の本体に対して前記規制部材が取り付けられている部分を第１取付部とし、前記規制部分の前記第２線側において前記足支持部の本体に対して前記規制部材が取り付けられている部分を第２取付部とし、前記電熱線の幅方向においての前記第１取付部と前記第２取付部との間隔を規制間隔として、前記規制部分においての前記電熱線の幅が前記規制間隔よりも小さいこと
を特徴とするオットマン。
【請求項２】
請求項１に記載のオットマンにおいて、
前記足支持部の本体において前記電熱線が配線される面を配線面として、この配線面上に配線用のシート部材が設けられていること、
ならびに、前記規制部材が前記シート部材に取り付けられていること
を特徴とするオットマン。
【請求項３】
請求項１または２に記載のオットマンにおいて、
前記規制部材のうちの前記電熱線をまたいで隣り合う前記第１取付部から前記第２取付部までの部分を単位取付部とし、前記電熱線の配線方向にすすむにつれて前記第１線側から前記第２線側に傾斜する前記単位取付部を第１単位取付部とし、前記電熱線の配線方向にすすむにつれて前記第２線側から前記第１線側に傾斜する前記単位取付部を第２単位取付部として、
前記規制部分において前記第１単位取付部と前記第２単位取付部とが交互に設けられていること、
ならびに、連続する１組の前記第１単位取付部および前記第２単位取付部により構成される部分を往復単位取付部として、前記規制部分に複数の往復単位取付部が設けられていること
を特徴とするオットマン。
【請求項４】
請求項３に記載のオットマンにおいて、
前記規制部分として第１規制部分および第２規制部分が設けられていること、
ならびに、前記第１規制部分においての前記往復単位取付部の形成ピッチを第１形成ピッチとし、前記第２規制部分においての前記往復単位取付部の形成ピッチを第２形成ピッチとして、前記第１形成ピッチと前記第２形成ピッチとが互いに異なること
を特徴とするオットマン。
【請求項５】
請求項４に記載のオットマンにおいて、
前記第１規制部分には前記電熱線が湾曲して配線された部分が含まれること、
前記第２規制部分においては前記電熱線が直線状に配線されていること、
ならびに、前記第１形成ピッチが前記第２形成ピッチよりも狭いこと
を特徴とするオットマン。
【請求項６】
足裏を支持する足支持部と、この足支持部の本体上に配線された電熱線と、この電熱線を覆うカバーとを備えるオットマンにおいて、
前記足支持部の本体に対する前記電熱線の移動を規制する規制部材としての袋が設けられていること、
ならびに、前記規制部材の内部に形成された空間に前記電熱線が配線されている部分を規制部分とし、前記規制部材の幅方向においての前記規制部材の内部の空間の幅を規制間隔として、前記規制部分においての前記電熱線の幅が前記規制間隔よりも小さいこと
を特徴とするオットマン。
【請求項７】
請求項１〜６のいずれか一項に記載のオットマンにおいて、
前記足支持部の本体において前記足裏の足指の付け根に対応する部分から前記足裏の中間部分までの領域を足前方領域として、この足前方領域に前記電熱線が設けられていること
を特徴とするオットマン。
【請求項８】
請求項１〜７のいずれか一項に記載のオットマンにおいて、
前記足支持部の本体において前記足裏の踵に対応する部分から前記足裏の中間部分までの領域を足後方領域として、この足後方領域に前記電熱線がさらに設けられていること
を特徴とするオットマン。
【請求項９】
請求項８に記載のオットマンにおいて、
前記足前方領域に設けられた前記電熱線の一部分を部分Ａとし、前記足後方領域に設けられた前記電熱線の別の一部分を部分Ｂとして、前記足裏に対向する前記部分Ａの表面積が前記足裏に対向する前記部分Ｂの表面積よりも大きいこと
を特徴とするオットマン。
【請求項１０】
請求項８に記載のオットマンにおいて、
前記足前方領域に設けられた前記電熱線を第１電熱線とし、前記足後方領域に設けられた前記電熱線を第２電熱線として、
前記第１電熱線の発熱量および前記第２電熱線の発熱量を互いに独立して制御することができること、
ならびに、前記第１電熱線の発熱量が前記第２電熱線の発熱量よりも高くなるように前記電熱線を制御するモードが設けられていること
を特徴とするオットマン。
【請求項１１】
請求項１〜１０のいずれか一項に記載のオットマンにおいて、
互いに独立した第１織物および第２織物が重ね合わせられて前記カバーが構成されていること、
前記第２織物が前記第１織物の表面において前記足裏に対応する部分に重ね合わせられていること、
ならびに、前記第１織物に対する前記第２織物の取り付けおよび前記第１織物からの前記第２織物の取り外しが可能であること
を特徴とするオットマン。
【請求項１２】
請求項１〜１１のいずれか一項に記載のオットマンにおいて、
前記カバーに金属粉が含まれていること
を特徴とするオットマン。
【請求項１３】
請求項１２に記載のオットマンにおいて、
前記金属粉として銀が用いられていること
を特徴とするオットマン。
【請求項１４】
臀部を支持する座部と、背中を支持する背もたれとを備える椅子型マッサージ機において、
請求項１〜１３のいずれか一項に記載のオットマンが設けられていること
を特徴とする椅子型マッサージ機。
【請求項１５】
臀部を支持する座部と、この座部の本体に配線された電熱線と、この電熱線を含めて前記本体を覆うカバーとを備える椅子型マッサージ機において、
前記座部の本体に対する前記電熱線の移動を規制する規制部材としての線部材が設けられていること、
前記電熱線に対して前記規制部材が取り付けられている部分を規制部分とし、前記電熱線の幅方向においての前記電熱線に対する一方の側を第１線側とし、前記電熱線の幅方向においての前記電熱線に対する一方の側を第２線側として、前記規制部分において前記規制部材が前記電熱線をまたいで前記第１線側から前記第２線側までにわたり設けられていること、
ならびに、前記規制部分の前記第１線側において前記座部の本体に対して前記規制部材が取り付けられている部分を第１取付部とし、前記規制部分の前記第２線側において前記座部の本体に対して前記規制部材が取り付けられている部分を第２取付部とし、前記電熱線の幅方向においての前記第１取付部と前記第２取付部との間隔を規制間隔として、前記規制部分においての前記電熱線の幅が前記規制間隔よりも小さいこと
を特徴とする椅子型マッサージ機。
【請求項１６】
臀部を支持する座部と、この座部の本体に配線された電熱線と、この電熱線を含めて前記本体を覆うカバーとを備える椅子型マッサージ機において、
前記座部の本体に対する前記電熱線の移動を規制する規制部材としての袋が設けられていること、
ならびに、前記規制部材の内部に形成された空間に前記電熱線が配線されている部分を規制部分とし、前記規制部材の幅方向においての前記規制部材の内部の空間の幅を規制間隔として、前記規制部分においての前記電熱線の幅が前記規制間隔よりも小さいこと
を特徴とする椅子型マッサージ機。
【請求項１７】
背中を支持する背もたれと、この背もたれの本体に配線された電熱線と、この電熱線を含めて前記本体を覆うカバーとを備える椅子型マッサージ機において、
前記背もたれの本体に対する前記電熱線の移動を規制する規制部材としての線部材が設けられていること、
前記電熱線に対して前記規制部材が取り付けられている部分を規制部分とし、前記電熱線の幅方向においての前記電熱線に対する一方の側を第１線側とし、前記電熱線の幅方向においての前記電熱線に対する一方の側を第２線側として、前記規制部分において前記規制部材が前記電熱線をまたいで前記第１線側から前記第２線側までにわたり設けられていること、
ならびに、前記規制部分の前記第１線側において前記背もたれの本体に対して前記規制部材が取り付けられている部分を第１取付部とし、前記規制部分の前記第２線側において前記背もたれの本体に対して前記規制部材が取り付けられている部分を第２取付部とし、前記電熱線の幅方向においての前記第１取付部と前記第２取付部との間隔を規制間隔として、前記規制部分においての前記電熱線の幅が前記規制間隔よりも小さいこと
を特徴とする椅子型マッサージ機。
【請求項１８】
背中を支持する背もたれと、この背もたれの本体に配線された電熱線と、この電熱線を含めて前記本体を覆うカバーとを備える椅子型マッサージ機において、
前記背もたれの本体に対する前記電熱線の移動を規制する規制部材としての袋が設けられていること、
ならびに、前記規制部材の内部に形成された空間に前記電熱線が配線されている部分を規制部分とし、前記規制部材の幅方向においての前記規制部材の内部の空間の幅を規制間隔として、前記規制部分においての前記電熱線の幅が前記規制間隔よりも小さいこと
を特徴とする椅子型マッサージ機。
【請求項１９】
腕を支持する肘掛と、この肘掛の本体に配線された電熱線と、この電熱線を含めて前記本体を覆うカバーとを備える椅子型マッサージ機において、
前記肘掛の本体に対する前記電熱線の移動を規制する規制部材としての線部材が設けられていること、
前記電熱線に対して前記規制部材が取り付けられている部分を規制部分とし、前記電熱線の幅方向においての前記電熱線に対する一方の側を第１線側とし、前記電熱線の幅方向においての前記電熱線に対する一方の側を第２線側として、前記規制部分において前記規制部材が前記電熱線をまたいで前記第１線側から前記第２線側までにわたり設けられていること、
ならびに、前記規制部分の前記第１線側において前記肘掛の本体に対して前記規制部材が取り付けられている部分を第１取付部とし、前記規制部分の前記第２線側において前記肘掛の本体に対して前記規制部材が取り付けられている部分を第２取付部とし、前記電熱線の幅方向においての前記第１取付部と前記第２取付部との間隔を規制間隔として、前記規制部分においての前記電熱線の幅が前記規制間隔よりも小さいこと
を特徴とする椅子型マッサージ機。
【請求項２０】
腕を支持する肘掛と、この肘掛の本体に配線された電熱線と、この電熱線を含めて前記本体を覆うカバーとを備える椅子型マッサージ機において、
前記肘掛の本体に対する前記電熱線の移動を規制する規制部材としての袋が設けられていること、
ならびに、前記規制部材の内部に形成された空間に前記電熱線が配線されている部分を規制部分とし、前記規制部材の幅方向においての前記規制部材の内部の空間の幅を規制間隔として、前記規制部分においての前記電熱線の幅が前記規制間隔よりも小さいこと
を特徴とする椅子型マッサージ機。
【発明の詳細な説明】
【技術分野】
【０００１】
本発明は、足裏を支持する足支持部と、この足支持部の本体に配線された電熱線と、この電熱線を含めて本体を覆うカバーとを備えるオットマン、および椅子式マッサージ機に関する。
【背景技術】
【０００２】
上記オットマンとして、特許文献１に記載のものが知られている。
同文献のオットマンの足支持部には、足を載せるための樹脂製の本体と、この本体の内部に配線されて足裏に熱を伝える電熱線とが設けられている。
【先行技術文献】
【特許文献】
【０００３】
【特許文献１】特開２０１０−１７２５２８号公報
【発明の概要】
【発明が解決しようとする課題】
【０００４】
特許文献１のオットマンにおいては、本体の内部に電熱線が配線されているため、電熱線の熱が効率よく足裏に伝えられない。
この点を改善するオットマンとして、足支持部の本体上に電熱線を配線し、この電熱線を規制部材としての接着剤により本体に対して固定し、電熱線を含めて本体を覆うようにカバーを設けるものが考えられる。
【０００５】
しかし、上記のオットマンにおいては次の問題をまねくことが懸念される。
すなわち、カバーと接触するように電熱線が配線されているため、足支持部の本体上において足がカバーを擦るように動かされたとき、この足の動きにより電熱線を本体に対してひきずろうとする力が電熱線に加えられる。そして、電熱線に加えられる力が過度に大きいときには、電熱線を介して規制部材としての接着剤にも大きな力が加えられるため、このことに起因して接着剤が足支持部の本体からはがれることが考えられる。また、このように接着剤のはがれが生じたときには、電熱線の位置が規制部材により適切に規制されていない状態となるため、例えば足裏に対して期待される位置に熱が伝えられない等の別の問題が生じるおそれがある。
【０００６】
なお、ここに記載した規制部材に関する課題は、電熱線が設けられるオットマンに限らず、電熱線が設けられる座部、背もたれ、および肘掛においても共通して生じるものといえる。また、規制部材として接着剤以外のものが用いられた場合にも同様に生じるものと考えられる。
【０００７】
本発明は上記課題を解決するためになされたものであり、その目的は、電熱線の熱を効率よく身体に伝えること、および電熱線の位置が規制部材により適切に規制されていない状態を生じにくくすることが可能なオットマン、および椅子型マッサージ機を提供することにある。
【課題を解決するための手段】
【０００８】
上記目的を達成するための手段を以下に記載する。
・本発明のオットマンは、足裏を支持する足支持部と、この足支持部の本体に配線された電熱線と、この電熱線を含めて前記本体を覆うカバーとを備え、前記足支持部の本体に対する前記電熱線の移動を規制する規制部材としての線部材が設けられていること、前記電熱線に対して前記規制部材が取り付けられている部分を規制部分とし、前記電熱線の幅方向においての前記電熱線に対する一方の側を第１線側とし、前記電熱線の幅方向においての前記電熱線に対する他方の側を第２線側として、前記規制部分において前記規制部材が前記電熱線をまたいで前記第１線側から前記第２線側までにわたり設けられていること、ならびに、前記規制部分の前記第１線側において前記足支持部の本体に対して前記規制部材が取り付けられている部分を第１取付部とし、前記規制部分の前記第２線側において前記足支持部の本体に対して前記規制部材が取り付けられている部分を第２取付部とし、前記電熱線の幅方向においての前記第１取付部と前記第２取付部との間隔を規制間隔として、前記規制部分においての前記電熱線の幅が前記規制間隔よりも小さいことを特徴としている。
【０００９】
・このオットマンにおいては、前記足支持部の本体において前記電熱線が配線される面を配線面として、この配線面上に配線用のシート部材が設けられていること、ならびに、前記規制部材が前記シート部材に取り付けられていることが好ましい。
【００１０】
・このオットマンにおいては、前記規制部材のうちの前記電熱線をまたいで隣り合う前記第１取付部から前記第２取付部までの部分を単位取付部とし、前記電熱線の配線方向にすすむにつれて前記第１線側から前記第２線側に傾斜する前記単位取付部を第１単位取付部とし、前記電熱線の配線方向にすすむにつれて前記第２線側から前記第１線側に傾斜する前記単位取付部を第２単位取付部として、前記規制部分において前記第１単位取付部と前記第２単位取付部とが交互に設けられていること、ならびに、連続する１組の前記第１単位取付部および前記第２単位取付部により構成される部分を往復単位取付部として、前記規制部分に複数の往復単位取付部が設けられていることが好ましい。
【００１１】
・このオットマンにおいては、前記規制部分として第１規制部分および第２規制部分が設けられていること、ならびに、前記第１規制部分においての前記往復単位取付部の形成ピッチを第１形成ピッチとし、前記第２規制部分においての前記往復単位取付部の形成ピッチを第２形成ピッチとして、前記第１形成ピッチと前記第２形成ピッチとが互いに異なることが好ましい。
【００１２】
・このオットマンにおいては、前記第１規制部分には前記電熱線が湾曲して配線された部分が含まれること、前記第２規制部分においては前記電熱線が直線状に配線されていること、ならびに、前記第１形成ピッチが前記第２形成ピッチよりも狭いことが好ましい。
【００１３】
・本発明のオットマンは、足裏を支持する足支持部と、この足支持部の本体上に配線された電熱線と、この電熱線を覆うカバーとを備えるオットマンにおいて、前記足支持部の本体に対する前記電熱線の移動を規制する規制部材としての袋が設けられていること、ならびに、前記規制部材の内部に形成された空間に前記電熱線が配線されている部分を規制部分とし、前記規制部材の幅方向においての前記規制部材の内部の空間の幅を規制間隔として、前記規制部分においての前記電熱線の幅が前記規制間隔よりも小さいことを特徴としている。
【００１４】
・このオットマンにおいては、前記足支持部の本体において前記足裏の足指の付け根に対応する部分から前記足裏の中間部分までの領域を足前方領域として、この足前方領域に前記電熱線が設けられていることが好ましい。
【００１５】
・このオットマンにおいては、前記足支持部の本体において前記足裏の踵に対応する部分から前記足裏の中間部分までの領域を足後方領域として、この足後方領域に前記電熱線がさらに設けられていることが好ましい。
【００１６】
・このオットマンにおいては、前記足前方領域に設けられた前記電熱線の一部分を部分Ａとし、前記足後方領域に設けられた前記電熱線の別の一部分を部分Ｂとして、前記足裏に対向する前記部分Ａの表面積が前記足裏に対向する前記部分Ｂの表面積よりも大きいことが好ましい。
【００１７】
・このオットマンにおいては、前記足前方領域に設けられた前記電熱線を第１電熱線とし、前記足後方領域に設けられた前記電熱線を第２電熱線として、前記第１電熱線の発熱量および前記第２電熱線の発熱量を互いに独立して制御することができること、ならびに、前記第１電熱線の発熱量が前記第２電熱線の発熱量よりも高くなるように前記電熱線を制御するモードが設けられていることが好ましい。
【００１８】
・このオットマンにおいては、互いに独立した第１織物および第２織物が重ね合わせられて前記カバーが構成されていること、前記第２織物が前記第１織物の表面において前記足裏に対応する部分に重ね合わせられていること、ならびに、前記第１織物に対する前記第２織物の取り付けおよび前記第１織物からの前記第２織物の取り外しが可能であることが好ましい。
【００１９】
・このオットマンにおいては、前記カバーに金属粉が含まれていることが好ましい。
・このオットマンにおいては、前記金属粉として銀が用いられていることが好ましい。
・本発明の椅子型マッサージ機は、臀部を支持する座部と、背中を支持する背もたれとを備え、前記オットマンが設けられていることを特徴としている。
【００２０】
・本発明の椅子型マッサージ機は、臀部を支持する座部と、この座部の本体に配線された電熱線と、この電熱線を含めて前記本体を覆うカバーとを備え、前記座部の本体に対する前記電熱線の移動を規制する規制部材としての袋が設けられていること、ならびに、前記規制部材の内部に形成された空間に前記電熱線が配線されている部分を規制部分とし、前記規制部材の幅方向においての前記規制部材の内部の空間の幅を規制間隔として、前記規制部分においての前記電熱線の幅が前記規制間隔よりも小さいことを特徴としている。
【００２１】
・本発明の椅子型マッサージ機は、臀部を支持する座部と、この座部の本体に配線された電熱線と、この電熱線を含めて前記本体を覆うカバーとを備え、前記座部の本体に対する前記電熱線の移動を規制する規制部材としての袋が設けられていること、ならびに、前記規制部材の内部に形成された空間に前記電熱線が配線されている部分を規制部分とし、前記規制部材の幅方向においての前記規制部材の内部の空間の幅を規制間隔として、前記規制部分においての前記電熱線の幅が前記規制間隔よりも小さいことを特徴としている。
【００２２】
・本発明の椅子型マッサージ機は、背中を支持する背もたれと、この背もたれの本体に配線された電熱線と、この電熱線を含めて前記本体を覆うカバーとを備え、前記背もたれの本体に対する前記電熱線の移動を規制する規制部材としての線部材が設けられていること、前記電熱線に対して前記規制部材が取り付けられている部分を規制部分とし、前記電熱線の幅方向においての前記電熱線に対する一方の側を第１線側とし、前記電熱線の幅方向においての前記電熱線に対する一方の側を第２線側として、前記規制部分において前記規制部材が前記電熱線をまたいで前記第１線側から前記第２線側までにわたり設けられていること、ならびに、前記規制部分の前記第１線側において前記背もたれの本体に対して前記規制部材が取り付けられている部分を第１取付部とし、前記規制部分の前記第２線側において前記背もたれの本体に対して前記規制部材が取り付けられている部分を第２取付部とし、前記電熱線の幅方向においての前記第１取付部と前記第２取付部との間隔を規制間隔として、前記規制部分においての前記電熱線の幅が前記規制間隔よりも小さいことを特徴としている。
【００２３】
・本発明の椅子型マッサージ機は、背中を支持する背もたれと、この背もたれの本体に配線された電熱線と、この電熱線を含めて前記本体を覆うカバーとを備え、前記背もたれの本体に対する前記電熱線の移動を規制する規制部材としての袋が設けられていること、ならびに、前記規制部材の内部に形成された空間に前記電熱線が配線されている部分を規制部分とし、前記規制部材の幅方向においての前記規制部材の内部の空間の幅を規制間隔として、前記規制部分においての前記電熱線の幅が前記規制間隔よりも小さいことを特徴としている。
【００２４】
・本発明の椅子型マッサージ機は、腕を支持する肘掛と、この肘掛の本体に配線された電熱線と、この電熱線を含めて前記本体を覆うカバーとを備え、前記肘掛の本体に対する前記電熱線の移動を規制する規制部材としての線部材が設けられていること、前記電熱線に対して前記規制部材が取り付けられている部分を規制部分とし、前記電熱線の幅方向においての前記電熱線に対する一方の側を第１線側とし、前記電熱線の幅方向においての前記電熱線に対する一方の側を第２線側として、前記規制部分において前記規制部材が前記電熱線をまたいで前記第１線側から前記第２線側までにわたり設けられていること、ならびに、前記規制部分の前記第１線側において前記肘掛の本体に対して前記規制部材が取り付けられている部分を第１取付部とし、前記規制部分の前記第２線側において前記肘掛の本体に対して前記規制部材が取り付けられている部分を第２取付部とし、前記電熱線の幅方向においての前記第１取付部と前記第２取付部との間隔を規制間隔として、前記規制部分においての前記電熱線の幅が前記規制間隔よりも小さいことを特徴としている。
【００２５】
・本発明の椅子型マッサージ機は、腕を支持する肘掛と、この肘掛の本体に配線された電熱線と、この電熱線を含めて前記本体を覆うカバーとを備え、前記肘掛の本体に対する前記電熱線の移動を規制する規制部材としての袋が設けられていること、ならびに、前記規制部材の内部に形成された空間に前記電熱線が配線されている部分を規制部分とし、前記規制部材の幅方向においての前記規制部材の内部の空間の幅を規制間隔として、前記規制部分においての前記電熱線の幅が前記規制間隔よりも小さいことを特徴としている。
【発明の効果】
【００２６】
本発明によれば、電熱線の熱を効率よく身体に伝えること、および電熱線の位置が規制部材により適切に規制されていない状態を生じにくくすることが可能なオットマン、および椅子型マッサージ機を提供することができる。
【図面の簡単な説明】
【００２７】
【図１】本発明の第１実施形態のオットマンについて、同オットマンを備える椅子型マッサージ機の斜視構造を示す斜視図。
【図２】同実施形態のオットマンについて、オットマンの足支持部の斜視構造を示す斜視図。
【図３】同実施形態のオットマンについて、図２のＡ−Ａ線に沿う足裏支持部の断面構造を示す断面図。
【図４】同実施形態のオットマンについて、足支持部の平面構造を示す平面図。
【図５】同実施形態のオットマンについて、足支持部の平面構造を示す平面図。
【図６】同実施形態のオットマンについて、足裏支持部の平面構造を示す平面図。
【図７】同実施形態のオットマンについて、図６の電熱線の一部分を拡大した平面構造を示す平面図。
【図８】同実施形態の椅子型マッサージ機について、（ａ）は座部の平面構造を示す平面図、（ｂ）は同（ａ）の二点鎖線の円により囲まれた電熱線の一部分を拡大した平面構造を示す平面図。
【図９】同実施形態の椅子型マッサージ機について、（ａ）は背もたれの一部分の正面構造を示す正面図、（ｂ）は同（ａ）の二点鎖線の円により囲まれた電熱線の一部分を拡大した正面構造を示す正面図。
【図１０】本発明の第２実施形態のオットマンについて、足支持部の平面構造を示す平面図。
【図１１】同実施形態のオットマンについて、図１０のＢ−Ｂ線に沿う足裏支持部の断面構造を示す断面図。
【図１２】本発明のその他の実施形態のオットマンについて、足支持部の平面構造を示す平面図。
【図１３】本発明のその他の実施形態のオットマンについて、足支持部の平面構造を示す平面図。
【図１４】本発明のその他の実施形態のオットマンについて、（ａ）は足支持部の平面構造を示す平面図、（ｂ）は同（ａ）のＣ−Ｃ線に沿う足裏支持部の断面構造を示す断面図。
【図１５】本発明のその他の実施形態のオットマンについて、足裏支持部の一部分の断面構造を示す断面図。
【図１６】本発明のその他の実施形態のオットマンについて、（ａ）は肘掛の斜視構造を示す斜視図、（ｂ）は腕施術部が省略された状態の肘掛の平面構造を示す平面図、（ｃ）は同（ｂ）の二点鎖線の円により囲まれた電熱線の一部分を拡大した平面構造を示す平面図。
【図１７】本発明のその他の実施形態のオットマンについて、足支持部の斜視構造を示す斜視図。
【発明を実施するための形態】
【００２８】
（第１実施形態）
図１〜図９を参照して、本発明の第１実施形態について説明する。
図１に示されるように、椅子型マッサージ機（以下、「マッサージ機１」）には、体幹を支持するチェア１０と、下肢を支持するオットマン２０とが設けられている。またこの他に、チェア１０およびオットマン２０の各装置を制御する制御装置と、使用者がチェア１０およびオットマン２０を操作するためのコントローラとが設けられている（いずれも図示略）。
【００２９】
チェア１０には、臀部を支持する座部１１と、背中を支持する背もたれ１２と、腕を支持する肘掛１３とが設けられている。座部１１には、臀部に熱を伝える電熱線９０が設けられている。背もたれ１２には、背中を施術する施術機構１４と、背中に熱を伝える電熱線１１０とが設けられている。施術機構１４には、背中をもみほぐす施術子１５と、施術子１５を駆動させる駆動部１６とが設けられている。
【００３０】
オットマン２０には、脚を支持する脚支持部３０と、足を支持する足支持部４０とが設けられている。脚支持部３０と足支持部４０とは、脚支持部３０の接続部３３により互いに接続されている。
【００３１】
ここで、マッサージ機１について次の用語を定義する。
（Ａ）マッサージ機１の幅方向を「幅方向」とし、チェア１０の奥行方向を「座奥行方向」とし、背もたれ１２の長手方向を「背高さ方向」とする。
（Ｂ）幅方向において、チェア１０に着座した使用者から見て右の方向を「右方」とし、同使用者から見て左の方向を「左方」とする。
（Ｃ）座奥行方向において、使用者の背面側から正面側に向かう方向を「前方」とし、正面側から背面側に向かう方向を「後方」とする。
（Ｄ）背高さ方向において、座部１１から背もたれ１２に向かう方向を「上方」とし、背もたれ１２から座部１１に向かう方向を「下方」とする。
（Ｅ）足支持部４０の短手方向を「足奥行方向」とし、足奥行方向および幅方向に直交する方向を「足高さ方向」とする。
（Ｆ）足奥行方向において、踵から足指に向かう方向を「前方」とし、足指から踵に向かう方向を「後方」とする。
（Ｇ）足高さ方向において、足から下腿に向かう方向を「上方」とし、下腿から足に向かう方向を「下方」とする。
【００３２】
脚支持部３０には、脚の側面を支持する３つの脚側壁３１と、下腿を支持する脚背壁３２と、脚側壁３１と足支持部４０とを互いに接続する接続部３３とが設けられている。また、脚を施術するエアバッグとして、右下腿および左下腿をそれぞれ右方側および左方側から施術する側部エアバッグ３４と、右下腿および左下腿をそれぞれ後方側から施術する後部エアバッグ３５とが設けられている。
【００３３】
脚側壁３１としては、右脚の右方の側面を支持する脚側壁３１と、左脚の左方の側面を支持する脚側壁３１と、右脚の左方の側面および左脚の右方の側面を支持する脚側壁３１とが設けられている。
【００３４】
足支持部４０には、足裏を支持する部分の本体としての支持部本体４１と、右足裏を支持する足裏支持部５０と、左足裏を支持する足裏支持部５０と、各足裏に熱を伝える電熱線７０とが設けられている。また、足支持部４０の各要素を覆うカバーとして、支持部本体４１を覆う第１カバー４４と、第１カバー４４のうちの各足裏支持部５０に対応する部分を覆う２枚の第２カバー４５とが設けられている。
【００３５】
図２を参照して、足支持部４０の詳細な構成について説明する。
支持部本体４１には、各足裏支持部５０が載せられる足底壁４２と、右足の右方への移動を規制する足側壁４３と、左足の左方への移動を規制する足側壁４３とが設けられている。
【００３６】
足底壁４２の上面には、右足用および左足用の足裏支持部５０が設けられている。右足用の足裏支持部５０と左足用の足裏支持部５０とは、隙間を介して直接的に対向している。すなわち支持部本体４１において、右足用の足裏支持部５０と左足用の足裏支持部５０との間には、各足の幅方向への移動を規制する側壁が設けられていない。
【００３７】
第１カバー４４は、銀が織り込まれた織物により構成されている。第２カバー４５も同様に銀が織り込まれた織物により構成されている。なお、第１カバー４４は「第１織物」に相当する。また、第２カバー４５は「第２織物」に相当する。
【００３８】
第１カバー４４において、各足裏支持部５０の前方および後方の端部に対応する部分には、それぞれ第１面ファスナ４４Ａが設けられている。第２カバー４５の前方および後方の端部には、それぞれ第２面ファスナ４５Ａが設けられている。これにより、マッサージ機１の使用者は、第２カバー４５を第１カバー４４に取り付けること、および第２カバー４５を第１カバー４４から取り外すことができる。
【００３９】
図１を参照して、チェア１０およびオットマン２０の制御について説明する。
制御装置は、コントローラから送信された信号に基づいて、施術機構１４、側部エアバッグ３４、後部エアバッグ３５、施術突起５１、電熱線７０、電熱線９０、および電熱線１１０を制御する。
【００４０】
マッサージ機１においては、コントローラの操作により選択することのできる複数の動作モードが予め用意されている。また、複数のモードのいずれか１つが行なわれている状態において、電熱線７０、電熱線９０、および電熱線１１０の少なくとも１つによる身体への伝熱が行なわれる。なお、動作モードにともない行なわれる電熱線７０、電熱線９０、および電熱線１１０の制御とは別に、コントローラの操作により電熱線７０、電熱線９０、および電熱線１１０のオンおよびオフを選択することもできる。
【００４１】
動作モードの説明にあたり各用語を下記のとおり定義する。
・「施術実行」は、施術機構１４が動作している状態を示す。
・「施術停止」は、施術機構１４が停止している状態を示す。
・「脚部実行」は、各エアバッグ３４，３５のそれぞれが動作している状態を示す。
・「脚部停止」は、各エアバッグ３４，３５のそれぞれが停止している状態を示す。
・「突起実行」は、施術突起５１が動作している状態を示す。
・「突起停止」は、施術突起５１が停止している状態を示す。
・「足温感実行」は、電熱線７０が動作している状態を示す。
・「足温感停止」は、電熱線７０が停止している状態を示す。
・「座温感実行」は、電熱線９０が動作している状態を示す。
・「座温感停止」は、電熱線９０が停止している状態を示す。
・「背温感実行」は、電熱線１１０が動作している状態を示す。
・「背温感停止」は、電熱線１１０が停止している状態を示す。
【００４２】
動作モードしては以下のものが用意されている。
（モードＡＡ）施術実行、脚部停止、突起停止、背温感停止、座温感停止、足温感実行。
（モードＡＢ）施術実行、脚部停止、突起停止、背温感停止、座温感停止、足温感実行。
（モードＡＣ）施術実行、脚部実行、突起停止、背温感停止、座温感停止、足温感停止。
（モードＡＤ）施術実行、脚部実行、突起停止、背温感停止、座温感停止、足温感実行。
（モードＡＥ）施術実行、脚部実行、突起実行、背温感停止、座温感停止、足温感停止。
（モードＡＦ）施術実行、脚部実行、突起実行、背温感停止、座温感停止、足温感実行。
（モードＡＧ）施術実行、脚部実行、突起実行、背温感実行、座温感停止、足温感停止。
（モードＡＨ）施術実行、脚部実行、突起実行、背温感実行、座温感停止、足温感実行。
（モードＡＩ）施術実行、脚部実行、突起実行、背温感実行、座温感実行、足温感停止。
（モードＡＪ）施術実行、脚部実行、突起実行、背温感実行、座温感実行、足温感実行。
（モードＡＫ）施術実行、脚部停止、突起実行、背温感実行、座温感実行、足温感停止。
（モードＡＬ）施術実行、脚部停止、突起実行、背温感実行、座温感実行、足温感実行。
（モードＡＭ）施術実行、脚部停止、突起停止、背温感実行、座温感実行、足温感実行。
（モードＡＮ）施術実行、脚部停止、突起停止、背温感実行、座温感実行、足温感停止。
（モードＡＯ）施術実行、脚部停止、突起停止、背温感停止、座温感実行、足温感実行。
（モードＡＰ）施術実行、脚部停止、突起停止、背温感停止、座温感実行、足温感停止。
（モードＢＡ）施術停止、脚部実行、突起停止、背温感停止、座温感停止、足温感停止。
（モードＢＢ）施術停止、脚部実行、突起停止、背温感停止、座温感停止、足温感実行。
（モードＢＣ）施術停止、脚部実行、突起実行、背温感停止、座温感停止、足温感停止。
（モードＢＤ）施術停止、脚部実行、突起実行、背温感停止、座温感停止、足温感実行。
（モードＢＥ）施術停止、脚部実行、突起実行、背温感実行、座温感停止、足温感停止。
（モードＢＦ）施術停止、脚部実行、突起実行、背温感実行、座温感停止、足温感実行。
（モードＢＧ）施術停止、脚部実行、突起実行、背温感実行、座温感実行、足温感停止。
（モードＢＨ）施術停止、脚部実行、突起実行、背温感実行、座温感実行、足温感停止。
（モードＢＩ）施術停止、脚部実行、突起停止、背温感実行、座温感停止、足温感停止。
（モードＢＪ）施術停止、脚部実行、突起停止、背温感実行、座温感停止、足温感実行。
（モードＢＫ）施術停止、脚部実行、突起停止、背温感実行、座温感実行、足温感停止。
（モードＢＬ）施術停止、脚部実行、突起停止、背温感実行、座温感実行、足温感実行。
（モードＢＭ）施術停止、脚部実行、突起停止、背温感停止、座温感停止、足温感停止。
（モードＢＮ）施術停止、脚部実行、突起停止、背温感停止、座温感停止、足温感実行。
（モードＣＡ）施術停止、脚部停止、突起実行、背温感停止、座温感停止、足温感停止。
（モードＣＢ）施術停止、脚部停止、突起実行、背温感停止、座温感停止、足温感実行。
（モードＣＣ）施術停止、脚部停止、突起実行、背温感実行、座温感停止、足温感停止。
（モードＣＤ）施術停止、脚部停止、突起実行、背温感実行、座温感停止、足温感実行。
（モードＣＥ）施術停止、脚部停止、突起実行、背温感実行、座温感実行、足温感実行。
（モードＣＦ）施術停止、脚部停止、突起実行、背温感実行、座温感実行、足温感実行。
【００４３】
図３を参照して、足裏支持部５０の詳細な構成について説明する。なお、図３においては、第１カバー４４の第１面ファスナ４４Ａおよび第２カバー４５の第２面ファスナ４５Ａを省略している。
【００４４】
各足裏支持部５０には、足裏を施術する施術突起５１と、施術突起５１を足高さ方向に移動させるエアバッグ５２と、施術突起５１の一部およびエアバッグ５２を収容する取付台６０とが設けられている。またこの他に、足裏に熱を伝える電熱線７０の一部と、電熱線７０を配線するためのシート５３とが設けられている。
【００４５】
シート５３には、電熱線７０の下方の半分が埋め込まれるとともに電熱線７０の上方の半分が露出するように電熱線７０が配線されている。電熱線７０としては、取付台６０に対応する部分の全体にわたり径の大きさが同一のものが用いられている。
【００４６】
取付台６０には、足裏を支持する平面部６５と、平面部６５の下面側の空間を取り囲む側壁部６６とが設けられている。側壁部６６は、平面部６５の下面の縁に接続されている。平面部６５において足奥行方向および幅方向の中間部分には、施術突起５１を挿入するための突起孔６７が形成されている。なお、平面部６５においてシート５３が取り付けられる面は「配線面」に相当する。
【００４７】
取付台６０としては、樹脂材料により形成された剛体の高いものが用いられている。すなわち、外部から力が加えられたときに電熱線７０よりも変形しにくいものが用いられている。
【００４８】
取付台６０の内部、すなわち平面部６５と側壁部６６とにより囲まれた空間には、施術突起５１の下方の部分およびエアバッグ５２が収容されている。エアバッグ５２は、足底壁４２と施術突起５１との間に設けられている。
【００４９】
施術突起５１は、突起孔６７に対してすきま嵌めされている。施術突起５１の先端部は、エアバッグ５２が最も収縮した状態において突起孔６７を介して平面部６５から外部に突出している。
【００５０】
足高さ方向においての足底壁４２に対する施術突起５１の位置、すなわち施術突起５１のうちの平面部６５から突出している部分の長さ（以下、「突出量」）は、エアバッグ５２の状態に応じて変更される。
【００５１】
第１カバー４４は、電熱線７０および施術突起５１を上方から覆うとともに電熱線７０に接触するように設けられている。すなわち、足が足裏支持部５０に載せられていない状態においては、第１カバー４４の裏面と電熱線７０との間に小さな隙間が形成される。一方、足が足裏支持部５０に載せられた状態においては、第１カバー４４の裏面と電熱線７０との少なくとも一部が互いに接触する。第１カバー４４と電熱線７０との接触面積は、施術突起５１の突出量に応じて変化する。
【００５２】
図４に示されるように、シート５３には、左方の取付台６０に対応した配線部５３Ａと、右方の取付台６０に対応した配線部５３Ａと、左方の配線部５３Ａと右方の配線部５３Ａとを互いに連結する連結部５３Ｂとが設けられている。
【００５３】
シート５３の配線部５３Ａは、足奥行方向において取付台６０の前方の端部（以下、「台前方端部６０Ｘ」）から取付台６０の後方の端部（以下、「台後方端部６０Ｙ」）までにわたり設けられている。また、幅方向において取付台６０の左方の端部から右方の端部までにわたり設けられている。
【００５４】
配線部５３Ａにおいて取付台６０の突起孔６７に対応する部分には、突起孔６７よりも径が大きい開口部５３Ｃが形成されている。施術突起５１、突起孔６７、および開口部５３Ｃはそれぞれ同心円上に設けられている。
【００５５】
図４および図５を参照して、電熱線７０の形状の詳細について説明する。
取付台６０は、足奥行方向において前方から後方に向けて５つの領域、すなわち第１領域６０Ａ、第２領域６０Ｂ、第３領域６０Ｃ、第４領域６０Ｄ、および第５領域６０Ｅに区分される。なお、第２領域６０Ｂは「足前方領域」に相当し、第５領域６０Ｅは「足後方領域」に相当する。
（ａ）第１領域６０Ａは、台前方端部６０Ｘから足指ＦＴの付け根に対応する部分までの領域を示す。
（ｂ）第２領域６０Ｂは、足指ＦＴの付け根に対応する部分から施術突起５１の前方の縁に対応する部分までの領域を示す。
（ｃ）第３領域６０Ｃは、施術突起５１の前方の縁から施術突起５１の後方の縁までの領域を示す。
（ｄ）第４領域６０Ｄは、施術突起５１の後方の縁から踵ＦＨの前端に対応する部分までの領域を示す。
（ｅ）第５領域６０Ｅは、踵ＦＨの前端に対応する部分から台後方端部６０Ｙまでの領域を示す。
【００５６】
電熱線７０は、第１領域６０Ａ〜第５領域６０Ｅにまたがり配線されている。電熱線７０の各部分は、各領域６０Ａ〜６０Ｅとの関係に基づいて５つの領域、すなわち第１部分７１、第２部分７２、第３部分７３、第４部分７４、および第５部分７５に区分される。
（ａ）第１部分７１は、第１領域６０Ａに対応する部分を示す。
（ｂ）第２部分７２は、第２領域６０Ｂに対応する部分を示す。
（ｃ）第３部分７３は、第３領域６０Ｃに対応する部分を示す。
（ｄ）第４部分７４は、第４領域６０Ｄに対応する部分を示す。
（ｅ）第５部分７５は、第５領域６０Ｅに対応する部分を示す。
【００５７】
足支持部４０においては、２つの足裏支持部５０に対して１本の電熱線７０が足Ｆの各部分に対応するように配線されている。また、１つの足裏支持部５０において施術突起５１を取り囲むように電熱線７０が配線されている。
【００５８】
電熱線７０と足Ｆとの関係について説明する。
（ａ）第１部分７１は、足指ＦＴに対応して配線されている。
（ｂ）第２部分７２は、土踏まずＦＡの前方の部分に対応して配線されている。
（ｃ）第３部分７３は、土踏まずＦＡの中間かつ外側の部分に対応して配線されている。
（ｄ）第４部分７４は、土踏まずＦＡの後方かつ外側の部分に対応して配線されている。
（ｅ）第５部分７５は、踵ＦＨに対応して配線されている。
【００５９】
電熱線７０の各部分の長さの関係について説明する。
第１領域６０Ａおよび第２領域６０Ｂにおいての単位面積あたりの電熱線７０の長さは、第４領域６０Ｄおよび第５領域６０Ｅにおいての単位面積あたりの電熱線７０の長さよりも大きい。すなわち、第１部分７１および第２部分７２の合計の長さは、第４部分７４および第５部分７５の合計の長さよりも大きい。なお、第２部分７２は「部分Ａ」に相当し、第５部分７５は「部分Ｂ」に相当する。
【００６０】
電熱線７０の各部分の表面積の関係について説明する。
第１領域６０Ａおよび第２領域６０Ｂにおいての単位面積あたりの電熱線７０の表面積は、第４領域６０Ｄおよび第５領域６０Ｅにおいての単位面積あたりの電熱線７０の表面積よりも大きい。すなわち、第１部分７１および第２部分７２の合計の表面積は、第４部分７４および第５部分７５の合計の表面積よりも大きい。なお、ここでの電熱線７０の表面積はシート５３から露出している電熱線７０の上方の部分の表面積を示す。
【００６１】
足支持部４０においては、上記のように電熱線７０が配線されていることにより、第１部分７１および第２部分７２の合計の発熱量が第４部分７４および第５部分７５の合計の発熱量よりも大きくなる。
【００６２】
図６および図７を参照して、電熱線７０の配線態様の詳細について説明する。
電熱線７０は、規制部材としての糸８０により足支持部４０のシート５３に縫い付けられている。足支持部４０において、電熱線７０に対して糸８０が取り付けられている部分を規制部分７０Ｘとしたとき、足支持部４０には、シート５３の配線部５３Ａおよび連結部５３Ｂの全体にわたり規制部分７０Ｘが設けられている。なお、糸８０は「線部材」に相当する。
【００６３】
規制部分７０Ｘには、電熱線７０が直線状に配線された直線規制部分７６と、電熱線７０が湾曲して配線された部分を含む湾曲規制部分７７とが設けられている。なお、直線規制部分７６は「第１規制部分」に相当し、湾曲規制部分７７は「第２規制部分」に相当する。
【００６４】
ここで、電熱線７０の各直線規制部分７６を次のように区別する。
（ａ）第１部分７１に設けられた直線規制部分７６を「直線規制部分７６Ａ」とする。
（ｂ）第１部分７１に設けられた湾曲規制部分７７を「湾曲規制部分７７Ａ」とする。
（ｃ）第２部分７２に設けられた直線規制部分７６を「直線規制部分７６Ｂ」とする。
（ｄ）第２部分７２に設けられた湾曲規制部分７７を「湾曲規制部分７７Ｂ」とする。
（ｅ）第３部分７３に設けられた直線規制部分７６を「直線規制部分７６Ｃ」とする。
（ｆ）第４部分７４に設けられた直線規制部分７６を「直線規制部分７６Ｄ」とする。
（ｇ）第５部分７５に設けられた直線規制部分７６を「直線規制部分７６Ｅ」とする。
（ｈ）第５部分７５に設けられた湾曲規制部分７７を「湾曲規制部分７７Ｅ」とする。
【００６５】
図７に示されるように、規制部分７０Ｘの幅方向において、電熱線７０の一方の側を第１線側７０Ａとし、電熱線７０の他方の側を第２線側７０Ｂとしたとき、糸８０は電熱線７０をまたいで第１線側７０Ａから第２線側７０Ｂまでにわたり設けられている。
【００６６】
糸８０には、電熱線７０の第１線側７０Ａにおいてシート５３に縫い付けられる部分である第１取付部８１と、電熱線７０の第２線側７０Ｂにおいてシート５３に縫い付けられる部分である第２取付部８２とが設けられている。
【００６７】
規制部分７０Ｘにおいて、糸８０のうちの電熱線７０をまたいで隣り合う第１線側７０Ａから第２線側７０Ｂまでの部分を「単位取付部」としたとき、規制部分７０Ｘには単位取付部として第１単位取付部８３および第２単位取付部８４が設けられている。
【００６８】
第１単位取付部８３は、電熱線７０の配線方向にすすむにつれて第１線側７０Ａから第２線側７０Ｂに傾斜している。第２単位取付部８４は、電熱線７０の配線方向にすすむにつれて第２線側７０Ｂから第１線側７０Ａに傾斜している。
【００６９】
以下では、第１単位取付部８３と第２単位取付部８４とにより構成される部分を「往復単位取付部８５」とする。電熱線７０の規制部分７０Ｘには、複数の往復単位取付部８５が設けられている。
【００７０】
糸８０と電熱線７０との関係について説明する。
電熱線７０の幅は、幅方向においての第１取付部８１と第２取付部８２との間隔（以下、「規制間隔Ｇ」）よりも小さい。すなわち、規制部分７０Ｘの幅方向において、第１取付部８１と電熱線７０との間および第２取付部８２と電熱線７０との間には隙間が形成されている。
【００７１】
ここで、往復単位取付部８５の形成ピッチを次のように区別する。
（ａ）直線規制部分７６Ａにおいての形成ピッチを形成ピッチＰＡ１とする。
（ｂ）湾曲規制部分７７Ａにおいての形成ピッチを形成ピッチＰＡ２とする。
（ｃ）直線規制部分７６Ｂにおいての形成ピッチを形成ピッチＰＢ１とする。
（ｄ）湾曲規制部分７７Ｂにおいての形成ピッチを形成ピッチＰＢ２とする。
（ｅ）直線規制部分７６Ｃにおいての形成ピッチを形成ピッチＰＣ１とする。
（ｆ）直線規制部分７６Ｄにおいての形成ピッチを形成ピッチＰＤ１とする。
（ｇ）直線規制部分７６Ｅにおいての形成ピッチを形成ピッチＰＥ１とする。
（ｈ）湾曲規制部分７７Ｅにおいての形成ピッチを形成ピッチＰＥ２とする。
【００７２】
なお、形成ピッチＰＡ１は「第２形成ピッチ」に相当し、形成ピッチＰＡ２は「第１形成ピッチ」に相当する。また形成ピッチＰＢ１は「第２形成ピッチ」に相当し、形成ピッチＰＢ２は「第１形成ピッチ」に相当する。また形成ピッチＰＣ１は「第２形成ピッチ」に相当し、形成ピッチＰＣ２は「第１形成ピッチ」に相当する。また形成ピッチＰＤ１は「第２形成ピッチ」に相当し、形成ピッチＰＤ２は「第１形成ピッチ」に相当する。
【００７３】
上記の各形成ピッチの関係は次のように設定されている。
（ａ）形成ピッチＰＡ２は形成ピッチＰＡ１よりも小さい。
（ｂ）形成ピッチＰＢ２は形成ピッチＰＢ１よりも小さい。
（ｃ）形成ピッチＰＥ２は形成ピッチＰＥ１よりも小さい。
（ｄ）形成ピッチＰＡ２は形成ピッチＰＢ２，ＰＥ２よりも小さい。
（ｅ）形成ピッチＰＡ１，ＰＢ１，ＰＣ１，ＰＤ１，ＰＥ１は互いに等しい。
【００７４】
規制部分７０Ｘにおいては、電熱線７０が糸８０に対して所定の範囲で移動することが許容される。以下では、この範囲を「許容移動範囲」とする。また、各直線規制部分７６および湾曲規制部分７７の許容移動範囲を次のように区別する。
（ａ）直線規制部分７６Ａの許容移動範囲を移動範囲ＲＡ１とする。
（ｂ）湾曲規制部分７７Ａの許容移動範囲を移動範囲ＲＡ２とする。
（ｃ）直線規制部分７６Ｂの許容移動範囲を移動範囲ＲＢ１とする。
（ｄ）湾曲規制部分７７Ｂの許容移動範囲を移動範囲ＲＢ２とする。
（ｅ）直線規制部分７６Ｃの許容移動範囲を移動範囲ＲＣ１とする。
（ｆ）直線規制部分７６Ｄの許容移動範囲を移動範囲ＲＤ１とする。
（ｇ）直線規制部分７６Ｅの許容移動範囲を移動範囲ＲＥ１とする。
（ｈ）湾曲規制部分７７Ｅの許容移動範囲を移動範囲ＲＥ２とする。
【００７５】
上記の各許容移動範囲の関係は次のように設定されている。
（ａ）移動範囲ＲＡ２は移動範囲ＲＡ１よりも小さい。
（ｂ）移動範囲ＲＢ２は移動範囲ＲＢ１よりも小さい。
（ｃ）移動範囲ＲＥ２は移動範囲ＲＥ１よりも小さい。
（ｄ）移動範囲ＲＡ２は移動範囲ＲＢ２，ＲＥ２よりも小さい。
（ｅ）移動範囲ＲＡ１，ＲＢ１，ＲＣ１，ＲＤ１，ＲＥ１は互いに等しい。
【００７６】
図５を参照して、足支持部４０の動作について説明する。
足Ｆのマッサージは次の順序で行なわれる。
（手順Ａ）足Ｆが足裏支持部５０に載せられる。
（手順Ｂ）エアバッグ５２による施術突起５１の移動が開始される。
（手順Ｃ）電熱線７０による足裏への伝熱が開始される。
（手順Ｄ）電熱線７０による伝熱が停止される。
（手順Ｅ）エアバッグ５２による施術突起５１の移動が停止される。
【００７７】
上記（手順Ｂ）においては、エアバッグ５２の膨張および収縮にともない施術突起５１の突出量が変化することにより、突出量の変化に応じた刺激が足裏に付与される。すなわち、施術突起５１の突出量が増大するときには足裏に付与される刺激が大きくなる。一方、施術突起５１の突出量が減少するときには足裏に付与される刺激が小さくなる。
【００７８】
図８を参照して、座部１１の電熱線９０の配線態様の詳細について説明する。
図８（ａ）に示されるように、座部１１には、電熱線９０が配線される座部本体１１Ａと、電熱線９０を含めてこの座部本体１１Ａを覆うカバー１１Ｂとが設けられている。なお、カバー１１Ｂとしては、図２のオットマン２０の第１カバー４４および第２カバー４５と同様の織物を用いることができる。
【００７９】
図８（ｂ）に示されるように、電熱線９０は、規制部材としての糸１００により座部本体１１Ａのシートに縫い付けられている。座部１１において、電熱線９０に対して糸１００が取り付けられている部分を規制部分９０Ｘとしたとき、座部１１には、電熱線９０がＵ字形状に配線された部分の全体にわたり規制部分９０Ｘが設けられている。なお、糸１００は「線部材」に相当する。
【００８０】
電熱線９０の規制部分９０Ｘには、電熱線９０が直線状に配線された直線規制部分９１と、電熱線９０が湾曲して配線された部分を含む湾曲規制部分９２とが設けられている。なお、直線規制部分９１は「第１規制部分」に相当し、湾曲規制部分９２は「第２規制部分」に相当する。
【００８１】
規制部分９０Ｘの幅方向において、電熱線９０の一方の側を第１線側９０Ａとし、電熱線９０の他方の側を第２線側９０Ｂとしたとき、糸１００は電熱線９０をまたいで第１線側９０Ａから第２線側９０Ｂまでにわたり設けられている。
【００８２】
糸１００には、電熱線９０の第１線側９０Ａにおいて座部本体１１Ａのシートに縫い付けられる部分である第１取付部１０１と、電熱線９０の第２線側９０Ｂにおいて同シートに縫い付けられる部分である第２取付部１０２とが設けられている。
【００８３】
規制部分９０Ｘにおいて、糸１００のうちの電熱線９０をまたいで隣り合う第１線側９０Ａから第２線側９０Ｂまでの部分を「単位取付部」としたとき、規制部分９０Ｘには単位取付部として第１単位取付部１０３および第２単位取付部１０４が設けられている。
【００８４】
第１単位取付部１０３は、電熱線９０の配線方向にすすむにつれて第１線側９０Ａから第２線側９０Ｂに傾斜している。第２単位取付部１０４は、電熱線９０の配線方向にすすむにつれて第２線側９０Ｂから第１線側９０Ａに傾斜している。
【００８５】
以下では、第１単位取付部１０３と第２単位取付部１０４とにより構成される部分を「往復単位取付部１０５」とする。電熱線９０の規制部分９０Ｘには、複数の往復単位取付部１０５が設けられている。
【００８６】
糸１００と電熱線９０との関係について説明する。
電熱線９０の幅は、幅方向においての第１取付部１０１と第２取付部１０２との間隔（以下、「規制間隔」）よりも小さい。すなわち、規制部分９０Ｘの幅方向において、第１取付部１０１と電熱線９０との間および第２取付部１０２と電熱線９０との間には隙間が形成されている。
【００８７】
各往復単位取付部１０５の形成ピッチの関係は次のように設定されている。
すなわち、湾曲規制部分９２においての形成ピッチＰ１２は、直線規制部分９１においての形成ピッチＰ１１よりも小さい。
【００８８】
規制部分９０Ｘにおいては、電熱線９０が糸１００に対して所定の範囲で移動することが許容される。この範囲を「許容移動範囲」としたき、湾曲規制部分９２の許容移動範囲Ｒ１２は直線規制部分９１の許容移動範囲Ｒ１１よりも小さい。
【００８９】
図９を参照して、背もたれ１２の電熱線１１０の配線態様の詳細について説明する。
図９（ａ）に示されるように、背もたれ１２には、電熱線１１０が配線される背もたれ本体１２Ａと、電熱線１１０を含めてこの背もたれ本体１２Ａを覆うカバー１２Ｂとが設けられている。なお、カバー１２Ｂとしては、図２のオットマン２０の第１カバー４４および第２カバー４５と同様の織物を用いることができる。
【００９０】
図９（ｂ）に示されるように、電熱線１１０は、規制部材としての糸１２０により背もたれ本体１２Ａのシートに縫い付けられている。背もたれ１２において、電熱線１１０に対して糸１２０が取り付けられている部分を規制部分１１０Ｘとしたとき、背もたれ１２には、電熱線１１０がＵ字形状に配線された部分の全体にわたり規制部分１１０Ｘが設けられている。なお、糸１２０は「線部材」に相当する。
【００９１】
電熱線１１０の規制部分１１０Ｘには、電熱線１１０が直線状に配線された直線規制部分１１１と、電熱線１１０が湾曲して配線された部分を含む湾曲規制部分１１２とが設けられている。なお、直線規制部分１１１は「第１規制部分」に相当し、湾曲規制部分１１２は「第２規制部分」に相当する。
【００９２】
規制部分１１０Ｘの幅方向において、電熱線１１０の一方の側を第１線側１１０Ａとし、電熱線１１０の他方の側を第２線側１１０Ｂとしたとき、糸１２０は電熱線１１０をまたいで第１線側１１０Ａから第２線側１１０Ｂまでにわたり設けられている。
【００９３】
糸１２０には、電熱線１１０の第１線側１１０Ａにおいて背もたれ本体１２Ａのシートに縫い付けられる部分である第１取付部１２１と、電熱線１１０の第２線側１１０Ｂにおいて同シートに縫い付けられる部分である第２取付部１２２とが設けられている。
【００９４】
規制部分１１０Ｘにおいて、糸１２０のうちの電熱線１１０をまたいで隣り合う第１線側１１０Ａから第２線側１１０Ｂまでの部分を「単位取付部」としたとき、規制部分１１０Ｘには単位取付部として第１単位取付部１２３および第２単位取付部１２４が設けられている。
【００９５】
第１単位取付部１２３は、電熱線１１０の配線方向にすすむにつれて第１線側１１０Ａから第２線側１１０Ｂに傾斜している。第２単位取付部１２４は、電熱線１１０の配線方向にすすむにつれて第２線側１１０Ｂから第１線側１１０Ａに傾斜している。
【００９６】
以下では、第１単位取付部１２３と第２単位取付部１２４とにより構成される部分を「往復単位取付部１２５」とする。電熱線１１０の規制部分１１０Ｘには、複数の往復単位取付部１２５が設けられている。
【００９７】
糸１２０と電熱線１１０との関係について説明する。
電熱線１１０の幅は、幅方向においての第１取付部１２１と第２取付部１２２との間隔（以下、「規制間隔」）よりも小さい。すなわち、規制部分１１０Ｘの幅方向において、第１取付部１２１と電熱線１１０との間および第２取付部１２２と電熱線１１０との間には隙間が形成されている。
【００９８】
各往復単位取付部１２５の形成ピッチの関係は次のように設定されている。
すなわち、湾曲規制部分１１２においての形成ピッチＰ２２は、直線規制部分１１１においての形成ピッチＰ２１よりも小さい。
【００９９】
規制部分１１０Ｘにおいては、電熱線１１０が糸１２０に対して所定の範囲で移動することが許容される。この範囲を「許容移動範囲」としたき、湾曲規制部分１１２の許容移動範囲Ｒ２２は直線規制部分１１１の許容移動範囲Ｒ２１よりも小さい。
【０１００】
（実施形態の効果）
本実施形態のマッサージ機１によれば、以下の効果が得られる。
（１）オットマン２０においては、糸８０の第１取付部８１と第２取付部８２との間隔である規制間隔がオットマン２０の電熱線７０の幅よりも大きい。この構成によれば、足裏支持部５０上においてカバーを擦るように足が動かされたとき、電熱線７０が取付台６０に対して第１取付部８１と第２取付部８２との間で移動することができる。そして、電熱線７０が糸８０に対して移動している状態においては、第１取付部８１および第２取付部８２に大きな力が加えられることが抑制される。このため、糸８０がシート５３からほつれること、あるいは糸８０が断線することが抑制される。すなわち、電熱線７０の位置が糸８０により適切に規制されていない状態を生じにくくすることができる。
【０１０１】
（２）オットマン２０の電熱線７０において、Ｕ字形状に湾曲して配線された部分は直線状に配線された部分と比較して、足から加えられる負荷に起因して位置ずれまたは断線が生じやすい。一方、オットマン２０においては、湾曲規制部分７７の往復単位取付部８５の形成ピッチが直線規制部分７６の往復単位取付部８５の形成ピッチよりも小さい。このため、電熱線７０のＵ字形状の部分において位置ずれまたは断線が生じることを抑制することができる。なお、電熱線７０の位置ずれとは、電熱線７０の位置が規定の位置とは異なる位置に移動した状態を示す。
【０１０２】
（３）オットマン２０においては、第２領域６０Ｂに電熱線７０の一部分（第２部分７２）が配線されている。この構成によれば、当該オットマン２０の使用時に足の位置が規定の位置から足奥行方向の後方にずれたときに第２部分７２が足裏と対向しない状態となる頻度が小さくなる。このため、電熱線７０の熱を足裏の前方の部分に効率的に伝えることができる。また、踵よりも熱を感じやすい足指およびその付近に熱が伝えられるため、足裏に効率よく熱を伝えることができる。
【０１０３】
（４）オットマン２０においては、第２領域６０Ｂに加えて第５領域６０Ｅに電熱線７０の一部分（第５部分７５）が配線されている。この構成によれば、足裏の前方の部分に加えて足裏の後方の部分にも熱が伝えられるため、足裏の全体に熱が伝えられている感覚を使用者に与えることができる。
【０１０４】
（５）オットマン２０においては、第１部分７１および第２部分７２の合計の表面積が第４部分７４および第５部分７５の合計の表面積よりも大きい。この構成によれば、踵に伝えられる熱量に比べて足指およびその付近に伝えられる熱量の方が大きくなるため、足裏を効率的に温めることができる。
【０１０５】
（６）オットマン２０においては、第１カバー４４への取り付けおよび第１カバー４４からの取り外しができるように第２カバー４５が構成されている。この構成によれば、オットマン２０の使用にともない汚れやすい部分、すなわち足裏に対応する部分のカバーとしての第２カバー４５を容易に交換することができる。
【０１０６】
（７）オットマン２０においては、銀が織り込まれた織物により第１カバー４４が構成されている。この構成によれば、第１カバー４４が消臭作用を有するものとなるため、オットマン２０の使用にともない足支持部４０から汗等の臭いが発生することを抑制することができる。また、第１カバー４４が抗菌作用を有するものとなるため、オットマン２０の使用にともない足支持部４０に雑菌が繁殖することを抑制することができる。また、第１カバー４４が高い熱伝導率を有するものとなるため、電熱線７０から足裏に熱を効率よく伝えることができる。
【０１０７】
（８）オットマン２０においては、銀が織り込まれた織物により第２カバー４５が構成されている。この構成によれば、第２カバー４５においても第１カバー４４により得られる効果と同様の効果が得られる。
【０１０８】
（９）オットマン２０においては、第３領域６０Ｃに電熱線７０の一部分（第３部分７３）が配線されている。この構成によれば、足裏の前方の部分のより広い範囲に熱を伝えることができる。
【０１０９】
（１０）オットマン２０においては、第１カバー４４に接触するように電熱線７０が配線されている。この構成によれば、第１カバー４４と電熱線７０との間に樹脂製のカバー等が設けられる構成と比較して、電熱線７０の熱を足裏に効率よく伝えることができる。
【０１１０】
（１１）オットマン２０においては、左方の足裏支持部５０と右方の足裏支持部５０との間に足側壁が設けられていない。この構成によれば、左方の足裏支持部５０と右方の足裏支持部５０との間に足側壁が設けられる構成と比較して、電熱線７０が停止したときに足の温度が下がりやすい。このため、足裏に熱を伝えるモードの後に足裏に熱を伝えないモードが行なわれるとき、足裏の状態を後者のモードに適した状態に速やかに近づけることができる。
【０１１１】
（１２）オットマン２０においては、施術突起５１を取り囲むように電熱線７０が配線されている。この構成によれば、施術突起５１により熱が伝えられている感覚を使用者に与えることができる。
【０１１２】
（１３）座部１１においては、糸１００の第１取付部１０１と第２取付部１０２との間隔である規制間隔が座部１１の電熱線９０の幅よりも大きい。この構成によれば、座部１１上においてカバーを擦るように臀部が動かされたとき、電熱線９０が座部本体１１Ａに対して第１取付部１０１と第２取付部１０２との間で移動することができる。そして、電熱線９０が糸１００に対して移動している状態においては、第１取付部１０１および第２取付部１０２に大きな力が加えられることが抑制される。このため、糸１００がシートからほつれること、あるいは糸１００が断線することが抑制される。すなわち、電熱線９０の位置が糸１００により適切に規制されていない状態を生じにくくすることができる。
【０１１３】
（１４）座部１１においては、湾曲規制部分９２の往復単位取付部１０５の形成ピッチが直線規制部分９１の往復単位取付部１０５の形成ピッチよりも小さい。このため、電熱線９０のＵ字形状の部分において位置ずれまたは断線が生じることを抑制することができる。
【０１１４】
（１５）背もたれ１２においては、糸１２０の第１取付部１２１と第２取付部１２２との間隔である規制間隔が背もたれ１２の電熱線１１０の幅よりも大きい。この構成によれば、背もたれ１２上においてカバーを擦るように背中が動かされたとき、電熱線１１０が背もたれ本体１２Ａに対して第１取付部１２１と第２取付部１２２との間で移動することができる。そして、電熱線１１０が糸１２０に対して移動している状態においては、第１取付部１２１および第２取付部１２２に大きな力が加えられることが抑制される。このため、糸１２０がシートからほつれること、あるいは糸１２０が断線することが抑制される。すなわち、電熱線１１０の位置が糸１２０により適切に規制されていない状態を生じにくくすることができる。
【０１１５】
（１６）背もたれ１２においては、湾曲規制部分１１２の往復単位取付部１２５の形成ピッチが直線規制部分１１１の往復単位取付部１２５の形成ピッチよりも小さい。このため、電熱線１１０のＵ字形状の部分において位置ずれまたは断線が生じることを抑制することができる。
【０１１６】
（第２実施形態）
図１０および図１１を参照して、本発明の第２実施形態について説明する。なお、本実施形態のマッサージ機１は、第１実施形態のマッサージ機１の一部を変更したものとして構成されている。このため、以下では第１実施形態のマッサージ機１と異なる点の詳細を説明し、同実施形態と共通する構成については同一の符号を付してその説明の一部または全部を省略する。
【０１１７】
第１実施形態のマッサージ機１では、糸８０により電熱線７０をシート５３に固定している。これに対して、本実施形態のマッサージ機１では、袋１３０に全長に電熱線１５０を挿入している。
【０１１８】
図１０に示されるように、各取付台６０には、袋１３０が取り付けられている。袋１３０には、電熱線１５０が挿入される通路１４０が設けられている。通路１４０は、複数のＵ字形状の往復部分により設けられている。電熱線１５０は、その全長にわたり径が等しい。
【０１１９】
通路１４０には、足奥行方向に延びる複数の第１通路１４１と、幅方向に隣り合う第１通路１４１を接続する第２通路１４２と、袋１３０の足奥行方向の後方の端部において第１通路１４１の足奥行方向の後方の端部の全てに接続する第３通路１４３とが設けられている。第１通路１４１の幅Ｈ１と、第２通路１４２の幅Ｈ２とは互いに等しい。
【０１２０】
電熱線１５０は、第１通路１４１および第２通路１４２に挿入されることにより、複数のＵ字形状が幅方向に並んだ形状として設けられている。
通路１４０に配線されている電熱線１５０の部分を規制部分１５０Ｘとする。また、第１通路１４１に配線された電熱線１５０の部分を第１規制部分１５１とし、第２通路１４２に配線された電熱線１５０の部分を第２規制部分１５２とする。このとき、第１規制部分１５１の許容移動範囲Ｒ３１と、第２規制部分１５２の許容移動範囲Ｒ３１とは互いに等しい。
【０１２１】
図１０および図１１を参照して、袋１３０の形成方法について説明する。
図１１に示されるように、袋１３０は、足高さ方向において重ね合わせられた２枚の生地、すなわち上方生地１３１および下方生地１３２を互いに縫い合わせることにより構成されている。具体的には、次の手順で形成することができる。
【０１２２】
まず、図１０に示されるように、下方生地１３２上に電熱線１５０を配線する。次に、図１１に示されるように、電熱線１５０を覆うように下方生地１３２上に上方生地１３１を被せる。そして、上方生地１３１と下方生地１３２とを糸により互いに縫い付けることにより袋１３０を形成する。
【０１２３】
（実施形態の効果）
本実施形態のマッサージ機１は、第１実施形態の（５）〜（１６）の効果に加え、以下の（１７）の効果が得られる。
【０１２４】
（１７）オットマン２０においては、袋１３０の通路１４０の幅である規制間隔がオットマン２０の電熱線１５０の幅よりも大きい。この構成によれば、足裏支持部５０上においてカバーを擦るように足が動かされたとき、電熱線１５０が取付台６０に対して通路１４０内で移動することができる。そして、電熱線１５０が袋１３０に対して移動している状態においては、袋１３０の縫い合わせ部分に大きな力が加えられることが抑制される。このため、袋１３０の糸がほつれること、あるいは袋１３０の糸が断線することが抑制される。すなわち、電熱線７０の位置が袋１３０により適切に規制されていない状態を生じにくくすることができる。
【０１２５】
（その他の実施形態）
本発明の実施態様は、上記各実施形態の内容に限定されるものではなく、例えば以下のように変更することができる。また、以下の変形例は上記各実施形態についてのみ適用されるものではなく、異なる変形例同士を互いに組み合わせて実施することもできる。
【０１２６】
・第１実施形態では、１本の電熱線７０を各足裏支持部５０に配線しているが、電熱線７０の配線態様を以下のように変更することもできる。
・第１実施形態では、１本の電熱線７０を構成しているが、電熱線７０の構成を以下のように変更することもできる。
【０１２７】
（Ａ）図１２に示されるように、電熱線７０に代えて電熱線１６０を設けることもできる。この電熱線１６０には、取付台６０の前方の部分に配線される第１電熱線１６１と、取付台６０の後方の部分に配線される第２電熱線１６２とが設けられる。
【０１２８】
第１電熱線１６１は、第１領域６０Ａ、第２領域６０Ｂ、および第３領域６０Ｃにわたり配線される。また、その配線態様としては、電熱線７０の第１部分７１、第２部分７２、および第３部分７３の配線態様に準じたものが採用される。
【０１２９】
第２電熱線１６２は、第３領域６０Ｃ、第４領域６０Ｄ、および第５領域６０Ｅにわたり配線される。また、その配線態様としては、電熱線７０の第３部分７３、第４部分７４、および第５部分７５の配線態様に準じたものが採用される。
【０１３０】
（Ｂ）電熱線７０に代えて、各取付台６０に配線される部分を３本の電熱線により構成することもできる。この電熱線の構成としては、例えば図６に示される電熱線７０において、第１部分７１および第２部分７２を１本の電熱線により構成し、第３部分７３を１本の電熱線により構成し、第４部分７４および第５部分７５を１本の電熱線により構成したものが挙げられる。
【０１３１】
・上記（Ａ）の変形例において、電熱線の制御として以下の（制御１）〜（制御４）をマッサージ機１の制御装置に予めプログラムすることもできる。この場合には、各制御の実行および停止を選択するための操作部と、各制御のうちの実行するものを選択するための操作部とがマッサージ機１のコントローラに設けられる。
（制御１）第１電熱線１６１の発熱量が第２電熱線１６２の発熱量よりも大きくなるように各ヒータの供給電力を制御する。
（制御２）第１電熱線１６１の発熱量が第２電熱線１６２の発熱量よりも小さくなるように各ヒータの供給電力を制御する。
（制御３）第１電熱線１６１の発熱量が第２電熱線１６２の発熱量と等しくなるように各ヒータの供給電力を制御する。
（制御４）上記（制御１）〜（制御３）の少なくとも２つを選択し、予めプログラムされた順序に基づいて選択した制御を順に行なう。
【０１３２】
・第１実施形態の電熱線７０の形成ピッチを以下のように変更することもできる。
（ａ）形成ピッチＰＡ２を形成ピッチＰＡ１以上に設定する。
（ｂ）形成ピッチＰＢ２を形成ピッチＰＢ１以上に設定する。
（ｃ）形成ピッチＰＥ２を形成ピッチＰＥ１以上に設定する。
（ｄ）形成ピッチＰＡ２を形成ピッチＰＢ２，ＰＥ２以上に設定する。
（ｅ）形成ピッチＰＡ１，ＰＢ１，ＰＣ１，ＰＤ１，ＰＥ１を互いに異なるものにする。
【０１３３】
・第１実施形態の電熱線７０の許容移動範囲を以下のように変更することもできる。
（ａ）移動範囲ＲＡ２を移動範囲ＲＡ１以上に設定する。
（ｂ）移動範囲ＲＢ２を移動範囲ＲＢ１以上に設定する。
（ｃ）移動範囲ＲＥ２を移動範囲ＲＥ１以上に設定する。
（ｄ）移動範囲ＲＡ２を移動範囲ＲＢ２，ＲＥ２以上に設定する。
（ｅ）移動範囲ＲＡ１，ＲＢ１，ＲＣ１，ＲＤ１，ＲＥ１を互いに異なるものにする。
【０１３４】
・上記各実施形態では、１つの足裏支持部５０に１つの施術突起５１を設けているが、１つの足裏支持部５０に複数の施術突起５１を設けることもできる。図１３を参照して、複数の施術突起５１が設けられる構成の一例について説明する。
【０１３５】
図１３に示されるように、各足裏支持部５０には、複数の施術突起５１としての第１施術突起５１Ａおよび第２施術突起５１Ｂと、電熱線７０に代わる電熱線１７０とが設けられる。第１施術突起５１Ａは、取付台６０の前方の部分に設けられる。第２施術突起５１Ｂは、取付台６０の後方の部分に設けられる。なお、図１３の変形例において電熱線１７０に代えて電熱線７０を設けることもできる。
【０１３６】
取付台６０には、第１施術突起５１Ａおよび第２施術突起５１Ｂをそれぞれ挿入するための２つの突起孔６７が形成される。取付台６０の内部には、第１施術突起５１Ａを足高さ方向に移動させるための第１エアバッグ５２Ａと、第２施術突起５１Ｂを足高さ方向に移動させるための第２エアバッグ５２Ｂとが設けられる。
【０１３７】
電熱線１７０には、取付台６０の前方の部分に配線される第１電熱線１７１と、取付台６０の後方の部分に配線される第２電熱線１７２とが設けられる。すなわち、電熱線１７０は２本の電熱線により構成される。
【０１３８】
取付台６０は、奥行方向において前方から後方に向けて６つの領域、すなわち第１１領域６０Ｆ、第１２領域６０Ｇ、第１３領域６０Ｈ、第１４領域６０Ｉ、第１５領域６０Ｊ、および第１６領域６０Ｋに区分される。なお、第１２領域６０Ｇは「足前方領域」に相当し、第１６領域６０Ｋは「足後方領域」に相当する。
（ａ）第１１領域６０Ｆは、台前方端部６０Ｘから足指の付け根に対応する部分までの領域を示す。
（ｂ）第１２領域６０Ｇは、足指の付け根に対応する部分から第１施術突起５１Ａの前方の縁に対応する部分までの領域を示す。
（ｃ）第１３領域６０Ｈは、第１施術突起５１Ａの前方の縁から第１施術突起５１Ａの後方の縁までの領域を示す。
（ｄ）第１４領域６０Ｉは、第１施術突起５１Ａの後方の縁から第２施術突起５１Ｂの前方の縁までの領域を示す。
（ｅ）第１５領域６０Ｊは、第２施術突起５１Ｂの前方の縁から第２施術突起５１Ｂの後方の縁までの領域を示す。
（ｆ）第１６領域６０Ｋは、第２施術突起５１Ｂの後方の縁から台後方端部６０Ｙまでの領域を示す。
【０１３９】
第１電熱線１７１は、第１１領域６０Ｆ、第１２領域６０Ｇ、第１３領域６０Ｈ、および第１４領域６０Ｉの前方の部分にわたり配線される。また、第１施術突起５１Ａを取り囲むように配線される。
【０１４０】
第２電熱線１７２は、第１４領域６０Ｉの後方の部分、第１５領域６０Ｊ、および第１６領域６０Ｋにわたり配線される。また、第２施術突起５１Ｂを取り囲むように配線される。
【０１４１】
・上記各実施形態において、電熱線７０の第１部分７１を省略することもできる。
・上記各実施形態において、電熱線７０の第３部分７３〜第５部分７５の少なくとも一部分を省略することもできる。
【０１４２】
・第１実施形態では、糸８０により電熱線７０をシート５３に取り付けているが、電熱線７０の取り付け態様を次のように変更することもできる。
（Ａ）図１４に示されるように、取付台６０の平面部６５に凹部６８を形成する。そして、凹部６８に電熱線７０を収容する。この構成においては、シート５３が省略される。また、電熱線７０が図２の第１カバー４４により上方から覆われる。また、凹部６８の幅が電熱線７０の許容移動範囲に相当する。
【０１４３】
（Ｂ）取付台６０の平面部６５上に壁部を設ける。そして、壁部により区画された領域に電熱線７０を配線する。この構成においては、シート５３が省略される。また、電熱線７０が図２の第１カバー４４により上方から覆われる。このとき、隣り合う壁部の間隔が電熱線７０の許容移動量に相当する。
【０１４４】
・第１実施形態では、規制部材として糸８０を用いているが、他の線部材を規制部材として用いることもできる。他の線部材の例としては、線材（例えば、軟鋼線材またはピアノ線材）が挙げられる。
【０１４５】
・第１実施形態において、電熱線９０を座部１１に縫い付ける糸１００に代えて、袋１３０を用いることもできる。この場合、袋１３０は、電熱線９０の形状に応じた通路１４０が形成される。
【０１４６】
・第１実施形態において、各電熱線１１０を背もたれ１２に縫い付ける糸１２０に代えて、袋１３０を用いることもできる。この場合、袋１３０は、電熱線１１０の形状に応じた通路１４０が形成される。
【０１４７】
・第２実施形態において、図１５に示されるように、下方生地１３２を省略することもできる。この場合、上方生地１３１を取付台６０の平面部６５に取り付けることにより、上方生地１３１と平面部６５とにより電熱線１５０を配線するための袋が形成される。
【０１４８】
・第２実施形態において、許容移動範囲に関する構成を以下の（Ａ）〜（Ｄ）のように変更することもできる。
（Ａ）第１通路１４１の幅Ｈ１および第２通路１４２の幅Ｈ２を変更することにより、第１規制部分１５１の許容移動範囲Ｒ３１を第２規制部分１５２の許容移動範囲Ｒ３２以上の大きさに変更する。
（Ｂ）許容移動範囲Ｒ３１を許容移動範囲Ｒ３２よりも小さくする。
（Ｃ）第１規制部分１５１をさらに区分し、区分された部分の許容移動範囲Ｒ３１を互いに異ならせる。
（Ｄ）第２規制部分１５２をさらに区分し、区分された部分の許容移動範囲Ｒ３２を互いに異ならせる。
【０１４９】
・第２実施形態の座部１１において、規制部材としての糸１００に代えて袋１３０を用いることもできる。この場合、袋１３０内には電熱線９０の形状に応じた通路１４０が形成される。
【０１５０】
・第２実施形態の背もたれ１２において、規制部材としての糸１２０に代えて袋１３０を用いることもできる。この場合、袋１３０内には電熱線１１０の形状に応じた通路１４０が形成される。
【０１５１】
・上記各実施形態において、肘掛１３の構成を以下のように変更することもできる。
図１６（ａ）に示されるように、肘掛１３には、電熱線１９０が配線される肘掛本体１３Ａと、電熱線１９０を含めて肘掛本体１３Ａを覆うカバー１３Ｂと、エアバッグ１８１により腕を施術する腕施術部１８０とが設けられる。なお、カバー１３Ｂの織物としては、オットマン２０の第１カバー４４および第２カバー４５と同様の織物を用いることができる。
【０１５２】
図１６（ｂ）に示されるように、電熱線１９０は、規制部材としての糸２００により肘掛本体１３Ａのシートに縫い付けられる。肘掛１３において、電熱線１９０に対して糸２００が取り付けられる部分を規制部分１９０Ｘとしたとき、肘掛１３には、電熱線１９０がＵ字形状に配線された部分の全体にわたり規制部分１９０Ｘが設けられる。
【０１５３】
電熱線１９０の規制部分１９０Ｘには、電熱線１９０が直線状に配線された直線規制部分１９１と、電熱線１９０が湾曲して配線された部分を含む湾曲規制部分１９２とが設けられる。なお、直線規制部分１９１は「第１規制部分」に相当し、湾曲規制部分１９２は「第２規制部分」に相当する。
【０１５４】
規制部分１９０Ｘの幅方向において、電熱線１９０の一方の側を第１線側１９０Ａとし、電熱線１９０の他方の側を第２線側１９０Ｂとしたとき、糸２００は電熱線１９０をまたいで第１線側１９０Ａから第２線側１９０Ｂまでにわたり設けられる。
【０１５５】
糸２００には、電熱線１９０の第１線側１９０Ａにおいて肘掛本体１３Ａのシートに縫い付けられる部分である第１取付部２０１と、電熱線１９０の第２線側１９０Ｂにおいて同シートに縫い付けられる部分である第２取付部２０２とが設けられる。
【０１５６】
規制部分１９０Ｘにおいて、糸２００のうちの電熱線１９０をまたいで隣り合う第１線側１９０Ａから第２線側１９０Ｂまでの部分を「単位取付部」としたとき、規制部分１９０Ｘには単位取付部として第１単位取付部２０３および第２単位取付部２０４が設けられる。
【０１５７】
第１単位取付部２０３は、電熱線１９０の配線方向にすすむにつれて第１線側１９０Ａから第２線側１９０Ｂに傾斜する。第２単位取付部２０４は、電熱線１９０の配線方向にすすむにつれて第２線側１９０Ｂから第１線側１９０Ａに傾斜する。
【０１５８】
以下では、第１単位取付部２０３と第２単位取付部２０４とにより構成される部分を「往復単位取付部２０５」とする。電熱線１９０の規制部分１９０Ｘには、複数の往復単位取付部２０５が設けられる。
【０１５９】
糸２００と電熱線１９０との関係について説明する。
電熱線１９０の幅は、幅方向においての第１取付部２０１と第２取付部２０２との間隔（以下、「規制間隔」）よりも小さい。すなわち、規制部分１９０Ｘの幅方向において、第１取付２０１と電熱線１９０との間および第２取付部２０２と電熱線１９０との間には隙間が形成される。
【０１６０】
各往復単位取付部２０５の形成ピッチの関係は次のように設定される。
すなわち、湾曲規制部分１９２においての形成ピッチＰ４２は、直線規制部分１９１においての形成ピッチＰ４１よりも小さい。
【０１６１】
規制部分１９０Ｘにおいては、電熱線１９０が糸２００に対して所定の範囲で移動することが許容される。この範囲を「許容移動範囲」としたき、湾曲規制部分１９２の許容移動範囲Ｒ４２は直線規制部分１９１の許容移動範囲Ｒ４１よりも小さい。
【０１６２】
・図１６に示される変形例において、規制部材としての糸２００に代えて袋１３０を用いることもできる。この場合、袋１３０内には電熱線１９０の形状に応じた通路１４０が形成される。
【０１６３】
・上記各実施形態において、第２カバー４５の構成を次のように変更することもできる。すなわち、図１７（ａ）に示されるように、第２カバー４５の前方の端部に足の甲を覆うための甲カバー４６を設けることもできる。この甲カバー４６の幅は、第２カバー４５において足裏に対応する部分の幅よりも大きく設定される。
【０１６４】
図１７（ｂ）に示されるように、この第２カバー４５においては甲カバー４６を折り返すことにより、足の甲を覆うことができる。これにより使用者の足に対してより効率的に熱を伝えることができる。
【０１６５】
・上記各実施形態において銀に代えてアルミ二ウム等の他の金属粉が織り込まれた織物により第１カバー４４および第２カバー４５の少なくとも一方を構成することもできる。
・上記各実施形態において、金属粉が織り込まれていない織物により第１カバー４４および第２カバー４５の少なくとも一方を構成することもできる。
【０１６６】
・上記各実施形態において、第２カバー４５を省略することもできる。この場合、第１カバー４４から第１面ファスナ４４Ａが省略される。
・上記各実施形態において、第１カバー４４と電熱線７０（電熱線１５０）との間に電熱線７０を覆う別のカバーを設けることもできる。
【０１６７】
・上記各実施形態において、施術突起５１を省略することもできる。
・上記各実施形態において、脚支持部３０を省略することもできる。
・上記各実施形態において、以下の動作モードを追加することもできる。
（モードＤＡ）施術停止、脚部停止、突起停止、背温感実行、座温感実行、足温感停止。
（モードＤＢ）施術停止、脚部停止、突起停止、背温感実行、座温感実行、足温感実行。
（モードＤＣ）施術停止、脚部停止、突起停止、背温感実行、座温感停止、足温感停止。
（モードＤＤ）施術停止、脚部停止、突起停止、背温感実行、座温感停止、足温感実行。
（モードＥＡ）施術停止、脚部停止、突起停止、背温感停止、座温感実行、足温感停止。
（モードＥＢ）施術停止、脚部停止、突起停止、背温感停止、座温感実行、足温感実行。
（モードＦＡ）施術停止、脚部停止、突起停止、背温感停止、座温感停止、足温感停止。
（モードＦＢ）施術停止、脚部停止、突起停止、背温感停止、座温感停止、足温感実行。
【０１６８】
・上記各実施形態において、取付台６０を省略することもできる。この構成においては、シート５３が足底壁４２上に取り付けられる。また、足底壁４２においてシート５３が取り付けられる面が「配線面」に相当する。
【０１６９】
・上記各実施形態において、マッサージ機１の一部としてオットマン２０が設けられているが、マッサージ機１から独立したオットマン２０とすることもできる。
【符号の説明】
【０１７０】
１…椅子型マッサージ機、１１…座部、１１Ａ…座部本体（座部の本体）、１１Ｂ…カバー、１２…背もたれ、１２Ａ…背もたれ本体（背もたれの本体）、１２Ｂ…カバー、１３…肘掛、１３Ａ…肘掛本体（肘掛の本体）、１３Ｂ…カバー、２０…オットマン、４０…足支持部、４１…足支持部本体（足支持部の本体）、４３…足側壁、４４…第１カバー（第１織物）、４５…第２カバー（第２織物）、５１…施術突起、５１Ａ…第１施術突起（施術突起）、５１Ｂ…第２施術突起（施術突起）、５３…シート（シート部材）、６０…取付台、６０Ｂ…第２領域（足前方領域）、６０Ｅ…第５領域（足後方領域）、６０Ｇ…第１２領域（足前方領域）、６０Ｋ…第１６領域（足後方領域）、７０…電熱線、７０Ａ…第１線側、７０Ｂ…第２線側、７０Ｘ…規制部分、７２…第２部分（部分Ａ）、７５…第５部分（部分Ｂ）、７６…直線規制部分（第１規制部分）、７７…湾曲規制部分（第２規制部分）、８０…糸（線部材）、８１…第１取付部、８２…第２取付部、８３…第１単位取付部、８４…第２単位取付部、８５…往復単位取付部、９０…電熱線、９０Ａ…第１線側、９０Ｂ…第２線側、９０Ｘ…規制部分、９１…直線規制部分（第１規制部分）、９２…湾曲規制部分（第２規制部分）、１００…糸（線部材）、１０１…第１取付部、１０２…第２取付部、１０３…第１単位取付部、１０４…第２単位取付部、１０５…往復単位取付部、１１０…電熱線、１１０Ａ…第１線側、１１０Ｂ…第２線側、１１０Ｘ…規制部分、１１１…直線規制部分（第１規制部分）、１１２…湾曲規制部分（第２規制部分）、１２０…糸（線部材）、１２１…第１取付部、１２２…第２取付部、１２３…第１単位取付部、１２４…第２単位取付部、１２５…往復単位取付部、１３０…袋、１５０…電熱線、１５０Ａ…第１線側、１５０Ｂ…第２線側、１５０Ｘ…規制部分、１５１…第１規制部分、１５２…第２規制部分、１６０…電熱線、１６１…第１電熱線、１６２…第２電熱線、１７０…電熱線、１７１…第１電熱線、１７２…第２電熱線、１９０…電熱線、１９０Ａ…第１線側、１９０Ｂ…第２線側、１９０Ｘ…規制部分、１９１…直線規制部分、１９２…湾曲規制部分、２００…糸（線部材）、２０１…第１取付部、２０２…第２取付部、２０３…第１単位取付部、２０４…第２単位取付部、２０５…往復単位取付部。
【図１】
2012170610.tif 000003
【図２】
2012170610.tif 000004
【図３】
2012170610.tif 000005
【図４】
2012170610.tif 000006
【図５】
2012170610.tif 000007
【図６】
2012170610.tif 000008
【図７】
2012170610.tif 000009
【図８】
2012170610.tif 000010
【図９】
2012170610.tif 000011
【図１０】
2012170610.tif 000012
【図１１】
2012170610.tif 000013
【図１２】
2012170610.tif 000014
【図１３】
2012170610.tif 000015
【図１４】
2012170610.tif 000016
【図１５】
2012170610.tif 000017
【図１６】
2012170610.tif 000018
【図１７】
2012170610.tif 000019